(57)【要約】【課題】風向に左右されることなく腐食環境因子を捕集可能で、なお且つ、小型化可能な腐食環境測定装置を提供する。【解決手段】本発明に係る腐食環境測定装置１００は、風向計１と、腐食環境因子を捕集可能な捕集面２１を具備し、風向計で測定した風向に応じて回転する腐食環境因子捕集手段２と、腐食環境因子捕集手段に洗浄液Ｗを供給する洗浄液供給手段３と、腐食環境因子捕集手段の捕集面を洗浄した後の洗浄液を回収する洗浄液回収手段４とを備える。洗浄液供給手段は、腐食環境因子捕集手段に取り付けられ、捕集面に洗浄液を吹き付ける洗浄液吹き付け手段３１と、洗浄液を貯蔵すると共に、該貯蔵している洗浄液を洗浄液吹き付け手段に供給する洗浄液源３２と、洗浄液吹き付け手段と洗浄液源とを連結する回転継手３３とを具備する。【選択図】図１
2017058193.tif 000002
【特許請求の範囲】
【請求項１】
風向計と、
腐食環境因子を捕集可能な捕集面を具備し、前記風向計で測定した風向に応じて回転する腐食環境因子捕集手段と、
前記腐食環境因子捕集手段に洗浄液を供給する洗浄液供給手段と、
前記腐食環境因子捕集手段の捕集面を洗浄した後の洗浄液を回収する洗浄液回収手段とを備え、
前記洗浄液供給手段は、
前記腐食環境因子捕集手段に取り付けられ、前記捕集面に洗浄液を吹き付ける洗浄液吹き付け手段と、
洗浄液を貯蔵すると共に、該貯蔵している洗浄液を前記洗浄液吹き付け手段に供給する洗浄液源と、
前記洗浄液吹き付け手段と前記洗浄液源とを連結する回転アダプターとを具備することを特徴とする腐食環境測定装置。
【請求項２】
腐食環境因子を分析する分析装置と、
前記洗浄液回収手段で回収した洗浄液を前記分析装置に導入する回収洗浄液導入手段とを更に備えることを特徴とする請求項１に記載の腐食環境測定装置。
【請求項３】
前記洗浄液供給手段及び前記回収洗浄液導入手段は、それぞれ計時手段を具備し、
前記洗浄液供給手段は、該洗浄液供給手段が具備する計時手段によって計測される時間に基づき、所定時間毎に前記腐食環境因子捕集手段に洗浄液を供給し、
前記回収洗浄液導入手段は、該回収洗浄液導入手段が具備する計時手段によって計測される時間に基づき、所定時間毎に前記洗浄液回収手段で回収した洗浄液を前記分析装置に導入することを特徴とする請求項２に記載の腐食環境測定装置。
【請求項４】
屋根を更に備え、
前記風向計は、前記屋根の上に配置され、
前記風向計以外の構成要素は、前記屋根の下に配置されていることを特徴とする請求項１から３の何れかに記載の腐食環境測定装置。
【請求項５】
前記腐食環境因子捕集手段の捕集面は、ガーゼで形成されていることを特徴とする請求項１から４の何れかに記載の腐食環境測定装置。
【請求項６】
前記洗浄液は、イオン交換水、炭酸水素ナトリウム水溶液、及び炭酸ナトリウム水溶液のうちの少なくとも一種であることを特徴とする請求項１から５の何れかに記載の腐食環境測定装置。
【請求項７】
前記分析装置は、液体クロマトグラフであることを特徴とする請求項１から６の何れかに記載の腐食環境測定装置。
【発明の詳細な説明】
【技術分野】
【０００１】
本発明は、橋梁など鋼構造物の腐食を促進する腐食環境因子を測定する腐食環境測定装置に関する。特に、本発明は、風向に左右されることなく腐食環境因子を捕集可能で、なお且つ、小型化可能な腐食環境測定装置に関する。
【背景技術】
【０００２】
橋梁など鋼構造物の腐食は、海から飛来する海塩粒子によって促進される。このため、鋼構造物の維持管理や腐食調査には、飛来塩分などの環境因子を測定することが重要である。  従来、飛来塩分の測定方法として、ドライガーゼ法、土研式タンク法、ウェットキャンドル法などが知られている。
【０００３】
一般的なドライガーゼ法は、四阿状の屋根の下に設置された木枠又はステンレス製枠に、１０ｃｍ×１０ｃｍのドライガーゼを取り付け、大気環境中にて曝露することにより飛来塩分を捕集する方法である。一般的なドライガーゼ法においては、ガーゼは１ヶ月毎に回収され、ガーゼに付着した塩分をイオン交換水で洗浄・収集し、分析装置で飛来塩分量が測定される。一般的なドライガーゼ法は、ガーゼ面に直交する２つの向きの飛来塩分を測定する方法であるため、事前に塩分が飛来する方向を把握する必要がある。しかしながら、湾内や岬など、目まぐるしく風向が変化する場所では、的確な方向にドライガーゼを設置することは困難である。
【０００４】
上記のような一般的なドライガーゼ法の欠点を解消するべく、特許文献１や非特許文献１に記載の装置が提案されている。
特許文献１や非特許文献１に記載の装置は、互いに異なる方向を向いて配置された複数のドライガーゼを具備するものである。このため、多方向からの飛来塩分を測定することができ、一般的なドライガーゼ法に比べて飛来塩分の捕集に対する風向の影響を低減可能である。しかしながら、一般的なドライガーゼ法と比べてガーゼの枚数が増加する分、それらの取り付け枠等も大きくなり、装置が大型化するという欠点を有する。また、ガーゼの枚数が増加するため、ガーゼの回収、塩分の洗浄・収集、分析装置での測定という一連の作業に要する時間が増加するという欠点もある。
【０００５】
一般的な土研式タンク法は、１０ｃｍ×１０ｃｍのステンレス製板に付着した塩分を雨水と共に回収して飛来塩分を測定する方法である。一般的な土研式タンク法は、ステンレス製板に対向する向きの飛来塩分を測定する方法であるため、ドライガーゼ法と同様に、事前に塩分が飛来する方向を把握する必要がある。しかしながら、ドライガーゼ法と同様に、湾内や岬など、目まぐるしく風向が変化する場所では、的確な方向にステンレス製板を設置することは困難である。
【０００６】
上記のような一般的な土研法の欠点を解消するべく、非特許文献２に記載の装置が提案されている。
非特許文献２に記載の装置は、それぞれ東西南北に向いて配置された複数のアクリル製板を具備するものである。このため、４方向からの飛来塩分を測定することができ、一般的な土研法に比べて飛来塩分の捕集に対する風向の影響を低減可能である。しかしながら、一般的な土研法と比べて板の枚数が増加する分、それらの取り付け治具等も大きくなり、装置が大型化するという欠点を有する。
【先行技術文献】
【特許文献】
【０００７】
【特許文献１】特開２０１５−２１７９６号公報
【非特許文献】
【０００８】
【非特許文献１】岩崎、他３名、「塩分捕集器具の設置方向と飛来塩分の関係」、構造工学論文集、２０１０年３月、Ｖｏｌ．５６Ａ、ｐ．６１６−６２９
【非特許文献２】中村、他２名、「環境に適した製品創製のための腐食環境予測・評価システムの開発（その２）−ＳＰＣＣ材腐食について−」、沖縄県工業技術センター研究報告書、２００７年、第９号、ｐ．７１−７４
【発明の概要】
【発明が解決しようとする課題】
【０００９】
本発明は、上記従来技術の問題点を解決するべくなされたものであり、風向に左右されることなく腐食環境因子を捕集可能で、なお且つ、小型化可能な腐食環境測定装置を提供することを課題とする。
【課題を解決するための手段】
【００１０】
前記課題を解決するため、本発明は、風向計と、腐食環境因子を捕集可能な捕集面を具備し、前記風向計で測定した風向に応じて回転する腐食環境因子捕集手段と、前記腐食環境因子捕集手段に洗浄液を供給する洗浄液供給手段と、前記腐食環境因子捕集手段の捕集面を洗浄した後の洗浄液を回収する洗浄液回収手段とを備え、前記洗浄液供給手段は、前記腐食環境因子捕集手段に取り付けられ、前記捕集面に洗浄液を吹き付ける洗浄液吹き付け手段と、洗浄液を貯蔵すると共に、該貯蔵している洗浄液を前記洗浄液吹き付け手段に供給する洗浄液源と、前記洗浄液吹き付け手段と前記洗浄液源とを連結する回転継手とを具備することを特徴とする腐食環境測定装置を提供する。
【００１１】
本発明に係る腐食環境測定装置によれば、風向計で測定した風向に応じて腐食環境因子捕集手段が回転する。このため、腐食環境因子捕集手段が具備する捕集面も風向に応じて回転することになる。例えば、風向計で測定する風向と捕集面との成す角度が９０°となるように捕集面を配置すれば、風向が変化したとしてもこれに応じて捕集面が回転し、上記角度が９０°のまま維持されるので、風向に左右されることなく腐食環境因子を捕集可能である。また、捕集面を複数設ける必要が無いため、装置を小型化することが可能である。
なお、腐食環境因子を最も捕集し易いという点で、上記に例示したように、風向計で測定する風向と捕集面との成す角度を９０°に設定することが最も好ましいものの、本発明は必ずしもこれに限られるものではない。腐食環境因子の捕集量に有意差が生じない限りにおいて、上記角度を９０°から増減させて捕集面を配置することも可能である。この捕集量に有意差が生じない増減幅（角度範囲）を決定するには、例えば、上記角度が異なる捕集面をそれぞれ具備する複数の腐食環境因子捕集手段を用意し、各腐食環境因子捕集手段の捕集面で捕集した腐食環境因子の捕集量を測定して、上記角度が９０°である捕集面との捕集量の差が所定値以下となる捕集面の上記角度の範囲を予め調査しておけばよい。例えば、上記角度が９０°±３０°の範囲内の値となるように、捕集面を配置することが好ましい。
【００１２】
また、本発明に係る腐食環境測定装置によれば、洗浄液供給手段から供給された洗浄液によって腐食環境因子捕集手段の捕集面が洗浄され、洗浄後の洗浄液が洗浄液回収手段によって回収されることになる。そして、回収した洗浄液を分析することで、腐食環境因子の捕集量を測定可能である。上記のように、本発明に係る腐食環境測定装置は、洗浄液供給手段及び洗浄液回収手段を備えるため、従来のドライガーゼ法のように、捕集面を形成する部材（ドライガーゼ法の場合はガーゼ）を取り外して回収したり、回収した部材を洗浄して腐食環境因子を収集するという作業が不要になる。このため、これらの作業が不要となる分だけ、従来のドライガーゼ法に比べて測定に要する時間を短縮可能である。
【００１３】
さらに、本発明に係る腐食環境測定装置が備える洗浄液供給手段は、腐食環境因子捕集手段に取り付けられた洗浄液吹き付け手段と、貯蔵している洗浄液を洗浄液吹き付け手段に供給する洗浄液源とを具備しており、両手段が回転継手によって連結されている。捕集面に洗浄液を吹き付ける洗浄液吹き付け手段は、腐食環境因子捕集手段に取り付けられているため、風向に応じて腐食環境因子捕集手段（捕集面）が回転することにより、腐食環境因子捕集手段と共に回転することになる。このため、捕集面が回転したとしても、常に適切に洗浄液を吹き付けることが可能である。一方、洗浄液源は、回転継手によって洗浄液吹き付け手段に連結されているため、洗浄液吹き付け手段が腐食環境因子捕集手段と共に回転したとしても、回転することなく静止した状態を維持することが可能である。そして、洗浄液吹き付け手段及び洗浄液源のそれぞれが配管を具備している場合に、洗浄液吹き付け手段が一定方向に継続的に回転する場合であっても、それらの配管が捩れるおそれがない。
【００１４】
好ましくは、本発明に係る腐食環境測定装置は、腐食環境因子を分析する分析装置と、
前記洗浄液回収手段で回収した洗浄液を前記分析装置に導入する回収洗浄液導入手段とを更に備える。
【００１５】
本発明に係る腐食環境測定装置は、腐食環境因子を分析する分析装置を必ずしも装置内に備える必要は無く、洗浄液回収手段で回収した洗浄液を腐食環境測定装置とは別の場所にある分析装置で分析することも可能である。
しかしながら、上記の好ましい構成によれば、分析装置と、回収した洗浄液を分析装置に導入する回収洗浄液導入手段とを装置内に備えるため、腐食環境因子を迅速に測定可能である。
【００１６】
好ましくは、前記洗浄液供給手段及び前記回収洗浄液導入手段は、それぞれ計時手段を具備し、前記洗浄液供給手段は、該洗浄液供給手段が具備する計時手段によって計測される時間に基づき、所定時間毎に前記腐食環境因子捕集手段に洗浄液を供給し、前記回収洗浄液導入手段は、該回収洗浄液導入手段が具備する計時手段によって計測される時間に基づき、所定時間毎に前記洗浄液回収手段で回収した洗浄液を前記分析装置に導入する。
【００１７】
上記の好ましい構成によれば、洗浄液供給手段及び回収洗浄液導入手段がそれぞれ計時手段を具備するため、正確なタイミングで、腐食環境因子捕集手段に洗浄液を供給したり、洗浄液を分析装置に導入可能である。このため、所定時間当たりの腐食環境因子の捕集量を正確に測定可能である。
【００１８】
好ましくは、本発明に係る腐食環境測定装置は、屋根を更に備え、前記風向計は、前記屋根の上に配置され、前記風向計以外の構成要素は、前記屋根の下に配置されている。
風向計以外の構成要素としては、腐食環境因子捕集手段、洗浄液供給手段、及び洗浄液回収手段が挙げられる。本発明の好ましい構成における風向計以外の構成要素としては、上記の各手段に加えて、分析装置、及び回収洗浄液導入手段が挙げられる。
【００１９】
上記の好ましい構成によれば、風向計以外の構成要素が屋根の下に配置されることにより、雨水に起因する捕集した腐食環境因子の脱離や測定誤差の発生を排除可能である。
【００２０】
本発明に係る腐食環境測定装置が備える腐食環境因子捕集手段の捕集面は、例えば、ガーゼで形成することが可能である。ただし、本発明はこれに限るものではなく、従来の土研式タンク法で用いられているステンレス製板やアクリル製板で捕集面を形成することも可能である。
【００２１】
本発明に係る腐食環境測定装置が備える洗浄液供給手段が供給する洗浄液としては、例えば、イオン交換水、炭酸水素ナトリウム水溶液、及び炭酸ナトリウム水溶液のうちの少なくとも一種が使用される。すなわち、例えば、イオン交換水、炭酸水素ナトリウム水溶液、及び炭酸ナトリウム水溶液のうちの何れか一種を単独で用いるか、或いは、これらの二種以上を混合して用いることが可能である。
【００２２】
好ましくは、前記分析装置として液体クロマトグラフが用いられる。
【００２３】
本発明に係る腐食環境測定装置が測定対象とする腐食環境因子としては、例えば、海水に含まれる塩化ナトリウム、塩化マグネシウム、硫酸ナトリウム、硫酸マグネシウムが挙げられる。前記分析装置として、従来の土研式タンク法で一般的に用いられている電気伝導度計や塩分濃度計を用いることも可能である。しかしながら、電気伝導度計のみでは、塩化ナトリウム及び塩化マグネシウムに含まれる塩化物イオンと、硫酸ナトリウム及び硫酸マグネシウムに含まれる硫酸イオンとを区別して測定できない。また、塩分濃度計のみでは、硫酸イオンを測定できない。
上記の好ましい構成によれば、前記分析装置として液体クロマトグラフを用いるため、塩化物イオンと硫酸イオンとを区別して測定できるという利点を有する。
【発明の効果】
【００２４】
本発明によれば、風向に左右されることなく腐食環境因子を捕集可能で、なお且つ、小型化可能な腐食環境測定装置を提供することが可能である。
【図面の簡単な説明】
【００２５】
【図１】本発明の一実施形態に係る腐食環境測定装置の概略構成を模式的に示す図である。
【図２】図１に示す腐食環境因子捕集手段周辺の構造をより具体的に示す図である。
【図３】図１に示す腐食環境測定装置によって、腐食環境因子を測定した結果の一例を示す図（クロマトグラム）である。
【発明を実施するための形態】
【００２６】
以下、添付図面を適宜参照しつつ、本発明の一実施形態に係る腐食環境測定装置について説明する。
図１は、本発明の一実施形態に係る腐食環境測定装置の概略構成を模式的に示す図である。図２は、図１に示す腐食環境因子捕集手段周辺の構造をより具体的に示す図である。図２（ａ）は正面図を、図２（ｂ）は図２（ａ）のＡＡ矢視断面図を示す。なお、説明の便宜上、図１及び図２に示す各構成要素の寸法や縮尺比は、実際のものとは異なる場合がある。
図１に示すように、本実施形態に係る腐食環境測定装置１００は、風向計１と、腐食環境因子捕集手段２と、洗浄液供給手段３と、洗浄液回収手段４とを備えている。また、本実施形態に係る腐食環境測定装置１００は、好ましい構成として、分析装置５と、回収洗浄液導入手段６と、屋根７とを備えている。以下、腐食環境測定装置１００が備える各構成要素について順に説明する。
【００２７】
＜１．風向計＞
風向計１としては、市販の各種風向計を適用可能であるため、ここではその構造に関する詳細な説明は省略する。本実施形態では、風向計１（少なくとも風を検知する風向計１の本体）が屋根７の上に配置されている。
【００２８】
＜２．腐食環境因子捕集手段＞
腐食環境因子捕集手段２は、腐食環境因子を捕集可能な捕集面２１を具備し、風向計１で測定した風向に応じて回転するように構成されている。
具体的には、図１又は図２に示すように、本実施形態の腐食環境因子捕集手段２は、一対の木枠２２と、一対の木枠２２に挟み込まれたガーゼ２３とを具備する。ガーゼ２３の片側の面において木枠２２で覆われていない領域が捕集面２１を形成している。木枠２２の内寸は、例えば、１０００ｍｍ×１０００ｍｍとされる。この場合、捕集面２１の寸法は、１０００ｍｍ×１０００ｍｍとなる。
木枠２２は、風向計１の回転軸１１に取り付けられている。回転軸１１は測定した風向に応じて回転する。したがい、木枠２２ひいては腐食環境因子捕集手段２も、風向計１で測定した風向に応じて回転することになる。本実施形態では、風向計１で測定する風向と捕集面２１との成す角度が略９０°となるように木枠２２の向きが調整された状態で、木枠２２が回転軸１１に取り付けられている。
なお、本実施形態では、腐食環境因子捕集手段２が一対の木枠２２とガーゼ２３とで構成されているが、これに限るものではなく、ステンレス製板やアクリル製板で構成することも可能である。
【００２９】
＜３．洗浄液供給手段＞
洗浄液供給手段３は、腐食環境因子捕集手段２に洗浄液Ｗを供給するように構成されている。具体的には、洗浄液供給手段３は、洗浄液吹き付け手段３１と、洗浄液源３２と、回転継手３３とを具備する。
洗浄液吹き付け手段３１は、腐食環境因子捕集手段２に取り付けられ、捕集面２１に洗浄液Ｗを吹き付けるように構成されている。具体的には、本実施形態の洗浄液吹き付け手段３１は、ノズル３１ａと、ノズル３１ａに連通する可撓性チューブ３１ｂとを具備する。ノズル３１ａには、多数の吹き出し口が設けられており、可撓性チューブ３１ｂ内を流通して導入された洗浄液Ｗが捕集面２１に吹き付けられるように、取り付け位置や取り付け角度が調整されている。
洗浄液源３２は、洗浄液Ｗを貯蔵すると共に、貯蔵している洗浄液Ｗを洗浄液吹き付け手段３１に供給するように構成されている。具体的には、本実施形態の洗浄液源３２は、洗浄液Ｗを貯蔵するタンク３２ａと、一端がタンク３２ａ内に位置し、洗浄液Ｗを流通させるための可撓性チューブ３２ｂと、可撓性チューブ３２ｂによる洗浄液Ｗの流通経路の途中に設けられたポンプ３２ｃとを具備する。ポンプ３２ｃが駆動することにより、タンク３２ａ内の洗浄液Ｗは、タンク３２ａから排出され、可撓性チューブ３２ｂ内を流通することになる。なお、タンク３２ａに貯蔵される洗浄液Ｗは、例えば、イオン交換水、炭酸水素ナトリウム水溶液、及び炭酸ナトリウム水溶液のうちの少なくとも一種とされる。
回転継手３３は、洗浄液吹き付け手段３１と洗浄液源３２とを連結するために用いられている。具体的には、洗浄液吹き付け手段３１の可撓性チューブ３１ｂの一端（ノズル３１ａに連通する側の端とは反対側の端）と、洗浄液源３２の可撓性チューブ３２ｂの一端（タンク３２ａ内に位置する側の端とは反対側の端）とがそれぞれ回転継手３３に接続されることで、両者は連結されている。回転継手３３としては、市販の各種回転継手（例えば、清水製作所製ＳＫ式回転アダプター）を適用可能であるため、ここではその構造に関する詳細な説明は省略する。
【００３０】
以上の構成を有する洗浄液供給手段３において、ポンプ３２ｃが駆動することにより、タンク３２ａ内の洗浄液Ｗは、可撓性チューブ３２ｂ、回転継手３３、可撓性チューブ３１ｂ及びノズル３１ａを順に通って、ノズル３１ａの吹き出し口から捕集面２１に吹き付けられる。
なお、洗浄液供給手段３は、計時手段（図示せず）を具備し、この計時手段によって計測される時間に基づき、所定時間毎（例えば、２４時間毎）に腐食環境因子捕集手段２に洗浄液を供給するように構成されることが好ましい。具体的には、例えば、洗浄液供給手段３の動作を制御する制御手段（図示せず）に計時手段による計測値が入力され、予め定めた所定時間が経過する毎に制御手段がポンプ３２ｃを駆動させる制御信号を送信することで、上記構成を実現可能である。上記の好ましい構成により、正確なタイミングで、腐食環境因子捕集手段２に洗浄液Ｗを供給することができるため、所定時間当たりの腐食環境因子の捕集量を正確に測定可能である。
洗浄液供給手段３による洗浄液Ｗの供給は、腐食環境因子の測定時のみに限るものではなく、次の測定時に測定誤差が生じないように、測定完了後から次の測定までの間に、腐食環境因子捕集手段２の捕集面２１を十分に洗浄するために供給することも可能である。
また、本実施形態では、ガーゼ２３の片側の面である捕集面２１にのみ洗浄液Ｗを吹き付ける構成であるが、これに限るものではなく、腐食環境因子の洗浄効率を高めるために、捕集面２１と反対側の面にも洗浄液Ｗを吹き付ける構成を採用することも可能である。
【００３１】
＜４．洗浄液回収手段＞
洗浄液回収手段４は、腐食環境因子捕集手段２の捕集面２１を洗浄した後の洗浄液Ｗを回収するように構成されている。具体的には、本実施形態の洗浄液回収手段４は、上下に開口が設けられた漏斗状の受け皿４ａと、タンク４ｂとを具備する。
受け皿４ａは、腐食環境因子捕集手段２の木枠２２の直下に配置されており、木枠２２の内寸が１０００ｍｍ×１０００ｍｍであれば、上部開口の直径がそれよりも大きい１５００ｍｍ程度のものを用いるのが好ましい。タンク４ｂは、受け皿４ａの直下に配置される。捕集面２１を洗浄した後の洗浄液Ｗは、木枠２２を伝わって下方に落下し、受け皿４ａの上部開口から受け皿４ａ内に入った後、受け皿４ａの下部開口からタンク４ｂに落下してタンク４ｂ内に回収される。
【００３２】
＜５．分析装置＞
分析装置５は、腐食環境因子を分析する装置であり、好ましくは、液体クロマトグラフが用いられる。本実施形態では、分析装置５として、オクタデシルシリル基で修飾されたシリカゲル樹脂を充填したＯＤＳカラムと、ＯＤＳカラムによって分離されたフラクションの電気伝導度を測定する電気伝導度計とを具備する液体クロマトグラフが用いられている。
なお、分析装置５による測定結果（分析結果）は、例えば、データロガー（図示せず）に記録される。
本実施形態に係る腐食環境測定装置１００は、分析装置５と、後述する回収洗浄液導入手段６とを装置内に備えるため、腐食環境因子を迅速に測定可能である。
【００３３】
＜６．回収洗浄液導入手段＞
回収洗浄液導入手段６は、洗浄液回収手段４で回収した洗浄液Ｗを分析装置５に導入するように構成されている。具体的には、本実施形態の回収洗浄液導入手段６は、洗浄液回収手段４のタンク４ｂ内に連通するように一端がタンク４ｂの底部に接続され、他端が分析装置５に接続された配管６ａと、配管６ａによる洗浄液Ｗの流通経路の途中に設けられた開閉弁６ｂとを具備する。開閉弁６ｂを開くことにより、タンク４ｂ内の洗浄液Ｗは自重で配管６ａ内を流通して分析装置５に導入される。
なお、回収洗浄液導入手段６は、計時手段（図示せず）を具備し、この計時手段によって計測される時間に基づき、所定時間毎（例えば、２４時間毎）に洗浄液回収手段４で回収した洗浄液を分析装置５に導入するように構成されることが好ましい。具体的には、例えば、回収洗浄液導入手段６の動作を制御する制御手段（図示せず）に計時手段による計測値が入力され、予め定めた所定時間が経過する毎に制御手段が開閉弁６ｂを開く制御信号を開閉弁６ｂに送信することで、上記構成を実現可能である。上記の好ましい構成により、正確なタイミングで、洗浄液Ｗを分析装置５に導入することができるため、所定時間当たりの腐食環境因子の捕集量を正確に測定可能である。
また、回収洗浄液導入手段６による洗浄液Ｗの導入は、腐食環境因子の測定時のみに限るものではなく、次の測定時に測定誤差が生じないように、測定完了後から次の測定までの間に、分析装置５内を十分に洗浄するために供給することも可能である。この場合の洗浄液Ｗとしては、前述したように、測定完了後から次の測定までの間に洗浄液供給手段３から供給され、洗浄液回収手段４のタンク４ｂに回収された洗浄液Ｗが用いられる。  
さらに、回収洗浄液導入手段６としては、配管６ａと開閉弁６ｂとを具備する構成に限られるものではなく、洗浄液源３２と同様に、ポンプと可撓性チューブ又は配管とを用いて、洗浄液回収手段４で回収した洗浄液Ｗを分析装置５に導入するように構成することも可能である。
【００３４】
＜７．屋根＞
屋根７としては、一般的なドライガーゼ法と同様に、例えば、四阿状の屋根が用いられる。屋根７の平面視の寸法は、例えば、１５００ｍｍ×１５００ｍｍとされる。
本実施形態では、風向計１は前述のように屋根７の上に配置されているが、風向計１以外の構成要素（腐食環境因子捕集手段２と、洗浄液供給手段３と、洗浄液回収手段４、分析装置５と、回収洗浄液導入手段６）は屋根７の下に配置されている。これにより、雨水に起因する捕集した腐食環境因子の脱離や測定誤差の発生を排除可能である。
【００３５】
以上に説明した構成を有する腐食環境測定装置１００によれば、風向計１で測定した風向に応じて腐食環境因子捕集手段２が回転する。このため、腐食環境因子捕集手段２が具備する捕集面２１も風向に応じて回転することになる。本実施形態では、風向計１で測定する風向と捕集面２１との成す角度が略９０°となるように捕集面２１が配置されているので、風向が変化したとしてもこれに応じて捕集面が回転し、上記角度が９０°のまま維持されるので、風向に左右されることなく腐食環境因子を捕集可能である。また、捕集面２１を複数設ける必要が無いため、装置を小型化することが可能である。
【００３６】
また、本実施形態に係る腐食環境測定装置１００によれば、洗浄液供給手段３から供給された洗浄液Ｗによって腐食環境因子捕集手段２の捕集面２１が洗浄され、洗浄後の洗浄液Ｗが洗浄液回収手段４によって回収されることになる。そして、回収した洗浄液Ｗを分析することで、腐食環境因子の捕集量を測定可能である。上記のように、腐食環境測定装置１００は、洗浄液供給手段３及び洗浄液回収手段４を備えるため、従来のドライガーゼ法のように、捕集面２１を形成するガーゼ２３を取り外して回収したり、回収したガーゼ２３を洗浄して腐食環境因子を収集するという作業が不要になる。このため、これらの作業が不要となる分だけ、従来のドライガーゼ法に比べて測定に要する時間を短縮可能である。
【００３７】
さらに、本実施形態に係る腐食環境測定装置１００が備える洗浄液供給手段３は、腐食環境因子捕集手段２に取り付けられた洗浄液吹き付け手段３１と、貯蔵している洗浄液Ｗを洗浄液吹き付け手段３１に供給する洗浄液源３２とを具備しており、両手段が回転継手３３によって連結されている。捕集面２１に洗浄液Ｗを吹き付ける洗浄液吹き付け手段３１は、腐食環境因子捕集手段２に取り付けられているため、風向に応じて腐食環境因子捕集手段２（捕集面２１）が回転することにより、腐食環境因子捕集手段２と共に回転することになる。このため、捕集面２１が回転したとしても、常に適切に洗浄液Ｗを吹き付けることが可能である。一方、洗浄液源３２は、回転継手３３によって洗浄液吹き付け手段３１に連結されているため、洗浄液吹き付け手段３１が腐食環境因子捕集手段２と共に回転したとしても、回転することなく静止した状態を維持することが可能である。そして、洗浄液吹き付け手段３１及び洗浄液源３２のそれぞれが具備する可撓性チューブ３１ｂ、３２ｂは、洗浄液吹き付け手段３１が一定方向に継続的に回転する場合であっても捩れるおそれがない。
【００３８】
図３は、本実施形態に係る腐食環境測定装置１００によって、腐食環境因子を測定した結果の一例を示す図（クロマトグラム）である。なお、分析装置５の条件は、以下の通りである。
（１）カラム：島津製作所製Ｓｈｉｍ−ｐａｃｋ ＩＣ−ＳＡ２
（２）移動相：１２ｍｍｏｌ／Ｌ  ＮａＨＣＯ３、０．６ｍｍｏｌ／Ｌ Ｎａ２ＣＯ３
（３）流量：１．０ｍＬ／ｍｉｎ
図３に示すように、本実施形態に係る腐食環境測定装置１００によれば、腐食環境因子に含まれる塩化物イオンと硫酸イオンとを分離して、それぞれの電気伝導度を検出可能である。電気伝導度と塩化物イオンの濃度との検量線、及び、電気伝導度と硫酸イオンの濃度との検量線を予め作成しておけば、検出した電気伝導度から各イオンの濃度を求めることができる。また、上記（３）に記載のように流量が分かっているので、流量と分析時間から移動相の体積を算出し、求めた各イオンの濃度を乗算することで、各イオンの量を算出可能である。
【符号の説明】
【００３９】
１・・・風向計
２・・・腐食環境因子捕集手段
３・・・洗浄液供給手段
４・・・洗浄液回収手段
５・・・分析装置
６・・・回収洗浄液導入手段
７・・・屋根
２１・・・捕集面
３１・・・洗浄液吹き付け手段
３２・・・洗浄液源
３３・・・回転継手
１００・・・腐食環境測定装置
Ｗ・・・洗浄液
【図１】
2017058193.tif 000003
【図２】
2017058193.tif 000004
【図３】
2017058193.tif 000005